(57)【要約】【課題】光源を動かさずに、光の照射方向が可変可能で、しかも一つの光源で、直接照明と間接照明との併用が可能であり、照明の使用目的や使用時間帯によって、直接照明や、間接照明、或いは、両者の併用を切替えて使用することができる小型化可能な照明装置を提供する。【解決手段】光源９と、該光源９から照射される光を一部遮光して、該光源９から照射される光を、２方向の双方、或いは、一方に振り分け可能に、該光源９と対向して配置され、該配置位置が移動すると、各方向に振り分けられた照射光の量が変化する遮光板２と、該遮光板２の配置位置を移動する動力６を備えた駆動機構(３，４ａ，４ｂ，５ａ，５ｂ，５ｃ，５ｄ)と、該駆動機構を制御する制御部とを備えて、照明装置１０を構成する。【選択図】図１
2007335101.tif 000002
【特許請求の範囲】
【請求項１】
光源と、
該光源から照射される光を一部遮光して、該光源から照射される光を、２方向の双方、或いは、一方に振り分け可能に、該光源と対向して配置され、該配置位置が移動すると、各方向に振り分けられた照射光の量が変化する遮光板と、
該遮光板の前記配置位置を移動する動力を備えた駆動機構と、
該駆動機構を制御する制御部と、を備えたことを特徴とする照明装置。
【請求項２】
前記遮光板は、半透光性を備えている請求項１記載の照明装置。
【請求項３】
前記光源は、断面が円形の直管状であり、
前記遮光板は、前記光源から平行に離間して配置されると共に、前記光源の軸方向に平行な２辺を備えており、該２辺のそれぞれの外縁の外側を、前記振り分けられた照射光が通過するように構成されており、
前記駆動機構は、回転軸を備えると共に、該回転軸が回転することにより、前記遮光板を前記直管状の光源の管曲面に沿って回動して、前記遮光板の前記配置位置を移動する請求項１又は２記載の照明装置。
【請求項４】
前記光源は、直管状の蛍光灯である請求項３記載の照明装置。
【請求項５】
前記制御部は、前記遮光板が、予め定められた単又は複数の時刻に同期して、予め定められた複数の前記配置位置のいずれかに位置するように、前記駆動機構を制御する請求項１〜４のいずれか１項に記載の照明装置。
【請求項６】
前記制御部は、一定期間の間に、前記遮光板が、予め定められた単又は複数の時刻に同期して、予め定められた複数の前記配置位置のいずれかに位置するように、前記駆動機構を制御する配光制御パターンを記憶すると共に、該記憶された配光制御パターンに基づき、前記駆動機構を制御する請求項５記載の照明装置。
【請求項７】
前記一定期間は、一日である請求項６記載の照明装置。
【請求項８】
前記光源の調光を行う調光部を備えると共に、該調光部を前記制御部が制御する請求項１〜７のいずれか１項に記載の照明装置。
【請求項９】
前記制御部は、前記光源が、予め設定された単又は複数の時刻に同期して、予め設定された複数の明るさのいずれかになるように、前記調光部を制御する請求項８記載の照明装置。
【請求項１０】
前記制御部は、一定期間の間に、前記光源が、予め定められた単又は複数の時刻に同期して、予め設定された複数の明るさのいずれかになるように、前記調光部を制御する調光制御パターンを記憶すると共に、該記憶された調光制御パターンに基づき、前記調光部を制御する請求項９記載の照明装置。
【請求項１１】
前記一定期間は、一日である請求項１０記載の照明装置。
【請求項１２】
前記制御部は、前記配光制御パターンと前記調光制御パターンとで構成される照明制御パターンを記憶すると共に、該記憶された照明制御パターンに基づき、前記駆動機構、及び、前記調光部を制御する請求項１０又は１１記載の照明装置。
【請求項１３】
前記制御部は、複数の前記照明制御パターンを記憶していると共に、予め選択されたいずれかの前記照明制御パターンに基づき、前記駆動機構、及び、前記調光部を制御する請求項１２記載の照明装置。
【発明の詳細な説明】
【技術分野】
【０００１】
本発明は、可動部を備えた照明装置に関する。
【背景技術】
【０００２】
照明装置は、その使用目的に応じて、さまざまなタイプが製作されている。これらの照明装置では、光の照射方向が固定されているのが一般的である。しかし、光の照射方向を可変可能な照明装置のニーズも存在し、このようなニーズに対応するため、さまざまな照明装置が考案されている（例えば、特許文献１参照）。
【０００３】
特許文献１に記載の照明装置（直管型蛍光灯器具）は、天井等に設置される本体部に、光源を備えた複数のホルダーを可動可能に取付け、この光源を備えたホルダーの向きを可変とすることにより、光の照射方向を可変とするものである。この照明装置では、光源を備えたホルダーを動かすのに、手動操作によるもののほか、モータ等の動力を備えた駆動機構を用いることにより、この駆動機構を制御して光源を備えたホルダーを動かすものもある。
【０００４】
ところで、住宅等における部屋の照明の分野では、部屋を明るくすることもさることながら、照明による部屋の雰囲気も重視されており、直接照明に代えて、居住者の目に光源の直接放射光が入射しない間接照明も採用されている。この間接照明の使用方法としては、間接照明を単独で用いる方法もあるが、維持費の観点等から、住宅等では、間接照明を直接照明と併用する方法や、間接照明と直接照明とを使い分ける方法が注目されている。
【０００５】
上記における使い分けを行う方法を採用すると、照明の使用目的や使用時間帯によって、直接照明や、間接照明、或いは、両者の併用を切替えて使用することができ、照明による部屋の雰囲気を、使用目的や使用時間帯によって変化させることができる。
【０００６】
そこで、このような、直接照明や、間接照明、或いは、両者の併用等の、照明形態を切替えて使用する照明方法を採用するには、使用される照明装置は、この照明装置の光の照射方向が可変可能であるのが便宜である。
【０００７】
この観点から、上記の特許文献１に記載の照明装置をみると、例えば、光源を備えた２個のホルダーを有する照明装置の場合は、光源を備えた２個のホルダーを、それぞれ動かすことができ、光の照射方向を、それぞれ、床に向けたり天井に向けたりすることができる。
【０００８】
このような照明装置として、モータ等の動力を備えたホルダー駆動機構を有しているものでは、２個のホルダーの駆動機構をそれぞれ制御することにより、直接照明のみとしたり、間接照明のみとしたり、或いは、両者を併用したりする等の切替えを自動的に行うことができ、照明による部屋の雰囲気を、使用目的や使用時間帯によって自動的に変化させることができる。
【特許文献１】特開昭６１−２９６６０３号公報
【発明の開示】
【発明が解決しようとする課題】
【０００９】
しかし、上記の特許文献１に記載の照明装置では、光の照射方向を可変するのに、光源を備えたホルダーそのものを動かすので、照明装置としては、大掛かりなものとなり、どうしても大型化してしまい、住宅等における部屋の照明装置としては、コスト的に問題であった。
【００１０】
又、直接照明と間接照明とを１台の照明装置で併用し、しかも、直接照明による光量と間接照明による光量の割合を可変可能にしようとすると、一般的には、上記の特許文献１に記載の照明装置のように、光源を有する複数の可動可能なホルダーを備えた照明装置が必要であり、この点でも、住宅等における部屋の照明装置としてはコスト的に問題であった。
【００１１】
そこで、この発明は、このような問題を解決するためになされたものであって、光源を動かさずに、光の照射方向が可変可能で、しかも一つの光源で、直接照明と間接照明との併用が可能であり、照明の使用目的や使用時間帯によって、直接照明や、間接照明、或いは、両者の併用を切替えて使用することができる小型化可能な照明装置を提供しようとするものである。
【課題を解決するための手段】
【００１２】
本発明の照明装置は、光源と、該光源から照射される光を一部遮光して該光源から照射される光を２方向の双方、或いは、一方に振り分け可能に該光源と対向して配置され、該配置位置が移動すると各方向に振り分けられた照射光の量が変化する遮光板と、該遮光板の配置位置を移動する動力を備えた駆動機構、及び、該駆動機構を制御する制御部を備えていることを特徴としている。
【００１３】
上記の照明装置では、光源を固定すると共に、この固定された光源の前に、可動可能な遮光板を配置し、この可動可能な遮光板を可変とすることにより、光の照射方向を可変としている。従って、光源を可動させる必要がないので、照明装置を小型化することができる。又、上記の照明装置を部屋の壁等に設置することによって、光源の光を、部屋の床付近の下層空間から中層空間までの直接照明的な照射と、部屋の中層空間から天井付近の上層空間までの間接照明的な照射の、２方向の双方、或いは、一方に振り分けることができる。即ち、上記の照明装置では、この照明装置を部屋の壁等に設置することによって、直接照明と間接照明との切替使用や併用使用を可能にすることができる。
【００１４】
上記の照明装置の遮光板は、半透光性を備えるようにしてもよい。又、上記の遮光板を備えた照明装置を、具体的に、次のように構成してもよい。
【００１５】
即ち、上記の光源として、断面が円形の直管状の光源を用いる。又、上記の遮光板として、光源から平行に離間して配置されると共に、光源の軸方向に平行な２辺を備えており、該２辺のそれぞれの外縁の外側を、振り分けられた照射光が通過するように構成された遮光板を用いる。又、上記の遮光板駆動機構として、回転軸を備えると共に、該回転軸が回転することにより、遮光板を直管状の光源の管曲面に沿って回動して、遮光板の配置位置を移動するようにした遮光板駆動機構を用いて構成するのである。又、上記の断面が円形の直管状の光源として、直管状の蛍光灯を用いるのが好適である。
【００１６】
又、上記の照明装置では、この照明装置の遮光板は、光源から照射される光を、２方向の双方、或いは、一方に振り分け可能に、該光源と対向して配置され、該配置位置が移動すると、各方向に振り分けられた照射光の量が変化するように構成されている。具体的には、上記の遮光板は、光源から平行に離間して配置されると共に、光源の軸方向に平行な２辺を備えており、該２辺のそれぞれの外縁の外側を、振り分けられた照射光が通過するように構成されている。
【００１７】
従って、上記の照明装置によれば、遮光板の配置位置を移動させると、この遮光板により振り分けられる照射光の量を変化させることができる。そこで、上記の照明装置を部屋の壁等に設置することによって、上述したような直接照明と間接照明との併用使用の場合に、直接照明に対する照射量と間接照明に対する照射量の割合を、変化させることができる。
【００１８】
又、上記の照明装置によれば、遮光板駆動機構として、回転軸を備えると共に、該回転軸を回転させることにより、遮光板を直管状の光源の管曲面に沿って回動させて、遮光板の配置位置を移動させるように構成された遮光板駆動機構を用いることができる。従って、遮光板駆動機構の回転軸をモータ等により回転させることにより、直接照明と間接照明との切替えや、直接照明と間接照明の併用時における直接照明に対する照射量と間接照明に対する照射量との割合等を、容易に変化させることができる。
【００１９】
上記の照明装置において、この照明装置の制御方法として、遮光板が、予め定められた単又は複数の時刻に同期して、予め定められた複数の配置位置のいずれかに位置するように、制御部が、駆動機構を制御するようにしてもよい。この場合に、制御部は、一定期間の間に、遮光板が、予め定められた単又は複数の時刻に同期して、予め定められた複数の配置位置のいずれかに位置するように、駆動機構を制御する配光制御パターンを記憶すると共に、該記憶された配光制御パターンに基づき、駆動機構を制御するようにしてもよい。この場合の一定期間としては、例えば、一日とするのが一つの方法である。
【００２０】
このようにすることにより、予め設定した配光制御パターンに基づき、上記の照明装置を制御することができ、照明による部屋の雰囲気を、使用目的や使用時間帯によって自動的に変化させることができる。
【００２１】
上記の照明装置において、配光制御のみならず、照明装置の光源の調光制御を行うようにしてもよい。即ち、上記の照明装置に、光源の調光を行う調光部を備えると共に、該調光部を照明装置の制御部が制御するようにするのである。この場合、制御部は、光源が、予め設定された単又は複数の時刻に同期して、予め設定された複数の明るさのいずれかになるように制御してもよい。この場合に、制御部は、一定期間の間に、光源が、予め定められた単又は複数の時刻に同期して、予め設定された複数の明るさのいずれかになるように、調光部を制御する調光制御パターンを記憶すると共に、該記憶された調光制御パターンに基づき、調光部を制御するようにしてもよい。この場合の一定期間としては、例えば、一日とするのが一つの方法である。
【００２２】
このようにすることにより、予め設定した調光制御パターンに基づき、上記の照明装置を制御することができ、照明による部屋の雰囲気を、使用目的や使用時間帯によって自動的に変化させることができる。
【００２３】
又、上記の照明装置の制御において、制御部は、配光制御パターンと調光制御パターンとで構成される照明制御パターンを記憶すると共に、該記憶された照明制御パターンに基づき、駆動機構、及び、調光部を制御するようにしてもよい。この場合に、制御部は、複数の照明制御パターンを記憶すると共に、この記憶している照明制御パターンの中から、予め選択されたいずれかの照明制御パターンに基づき、駆動機構、及び、調光部を制御するようにすることもできる。
【００２４】
このようにすることにより、配光と調光とを共に同時に制御することができ、照明による部屋の雰囲気を、使用目的や使用時間帯によって自動的に変化させることができる。
【発明の効果】
【００２５】
本発明によれば、照明装置の可動部として、遮光板を用いると共に、駆動機構として、この遮光板の配置位置を移動させる遮光板駆動機構を用い、さらに、制御部として、この遮光板駆動機構を制御する機能を備えた制御部を用いて、照明装置を構成する。そこで、この照明装置では、光源を固定すると共に、この固定された光源の前に、可動可能な遮光板を配置し、この可動可能な遮光板を可変とすることにより、光の照射方向を可変とすることができる。
【００２６】
従って、一つの光源で、直接照明と間接照明の切替えや、直接照明と間接照明の併用使用を可能にすることができる。又、可動可能な光源を用いる必要がないので、照明装置を小型化することができ、コストメリットを備えた照明装置を構成することができる。
【００２７】
又、予め設定した配光制御パターンや調光制御パターンを制御部に記憶することにより、この配光制御パターンや、調光制御パターンに基づいて、上記の照明装置を自動的に制御することができる。従って、照明による部屋の雰囲気を、使用目的や使用時間帯によって自動的に変化させることができる。
【発明を実施するための最良の形態】
【００２８】
以下、本発明の実施の形態における照明装置について、図面を参照しながら説明する。図１(ａ)は、本実施の形態における照明装置１０の平面図、図１(ｂ)は、その右側面図、そして、図１(ｃ)は、図１(ａ)の、Ｘ−Ｘ断面図である。
【００２９】
上記の照明装置１０は、部屋の壁１１に設置されており、本体１、遮光板２、遮光板支持片３、回転軸４、軸受５、モータユニット６、反射板７、ソケット８、及び、蛍光灯９で構成されている。本体１は前方に開口した主空間１ｄと、この主空間１ｄの左右に、隔壁１ｃ、及び、隔壁１ｅを介して隣接している副空間１ｂ，及び、副空間１ｆとを備えており、副空間１ｂ，副空間１ｆは、外界との間にそれぞれ、側外壁１ａ、及び、側外壁１ｇを備えている。
【００３０】
隔壁１ｃ及び隔壁１ｅが主空間１ｄに面する下端部には、ソケット８，８が備えられ、このソケット８，８間には、照明装置１０の光源である直管状の蛍光灯９が嵌め込まれている。又、この蛍光灯９が存在する主空間１ｄの奥には、断面が奥に向かって膨らんでいる半円形状の反射板７が備えられており、蛍光灯９の放射する光を前方へ反射するようになっている。
【００３１】
又、隔壁１ｃが副空間１ｂに面する側の下端部、及び、側外壁１ａの下端部と、隔壁１ｅが副空間１ｆに面する側の下端部、及び、側外壁１ｇが副空間１ｆに面する側の下端部には、それぞれ、軸受５ｂ，５ａ，５ｃ，５ｄが設けられている。この内、軸受５ｂ，５ａには、回転軸４ａが、又、軸受５ｃ，５ｄには、回転軸４ｂが、それぞれ回転可能に挿入されている。又、これらの軸受５ｂ，５ａ，５ｃ，５ｄは、回転軸４ａ，４ｂの軸中心が、蛍光灯９の管軸中心と略一致するように取付られている。
【００３２】
又、側外壁１ａに設けられている軸受５ａは、側外壁１ａを貫通して取付られており、回転軸４ａは、側外壁１ａに備えられたモータユニット６に収容されているパルスモータに直結されている。そのため、モータユニット６内のパルスモータが正逆に回転すると、回転軸４ａも正逆に回転する。
【００３３】
回転軸４ａ，４ｂには、軸と垂直に遮光板支持片３，３の基端が固着され、この遮光板支持片３，３の先端には、これらの遮光板支持片３，３と垂直に、遮光板２が固着されている。この遮光板２は、直管状の蛍光灯９が照射する光を一部遮光するように、即ち、蛍光灯９の前方にこの蛍光灯９と略平行するようにして、遮光板支持片３，３に取付けられて、配置されている。
【００３４】
又、この遮光板２は、この遮光板２の断面が、前方へ突出した円弧状であると共に、この遮光板２を前方から見たときの遮光板２の上辺と下辺が、直管状の蛍光灯９と略平行で、且つ、相互に平行となるような曲面板である。又、この曲面板で構成される遮光板２の大きさは、この遮光板２が蛍光灯９の正面に位置する状態で、蛍光灯９の光が、遮光板２で上下に振り分けられて、遮光板２の上辺と下辺のそれぞれの外縁の外側を、振り分けられた照射光が通過する状態となるような大きさである。
【００３５】
上記の構造を有する照明装置１０では、上述したように、遮光板２を先端で支持する遮光板支持片３，３は、この遮光板支持片３，３の基端が回転軸４ａ，４ｂにこの軸と垂直に固着されているので、回転軸４ａ，４ｂが回転すると、遮光板２も、この回転軸４ａ，４ｂの回転に応じて動く。又、回転軸４ａ，４ｂの軸中心が、蛍光灯９の管軸中心と略一致するように、軸受５ｂ，５ａ，５ｃ，５ｄが取付られているので、遮光板２の動きは、直管状の蛍光灯９の管曲面に沿って回動するような動きとなり、遮光板２を直管状の蛍光灯９の管曲面に沿って回動するように動かすことができる。即ち、回転軸４ａ，４ｂを回転させることによって、遮光板２の配置位置を移動させることができる。
【００３６】
そこで、上記の照明装置１０では、モータユニット６内のパルスモータを正逆回転させることで、図２(ａ)〜(ｃ)に示すように、光源である蛍光灯９から照射される光を一部遮光板２で遮光して、蛍光灯９から照射される光を、上下２方向の双方、或いは、一方に振り分けることが可能であり、又、２方向に振り分ける状態では、遮光板２の配置位置が移動することにより、各方向に振り分けられた照射光の量を変化させることができる。
【００３７】
即ち、図２(ａ)は、遮光板２を上限まで移動させた状態を示しており、この場合は、蛍光灯９から放射される光は、照明装置１０が設置されている部屋の床付近の下層空間から中層空間へ照射され、直接照明的な使い方となる。又、図２(ｂ)は、遮光板２が蛍光灯９の正面に位置する状態を示しており、この場合は、蛍光灯９から放射される光は、遮光板２で上下に振り分けられ、照明装置１０が設置されている部屋の床付近の下層空間と天井付近の上層空間とに略均等に照射される。又、図２(ｃ)は、遮光板２を下限まで移動させた状態を示しており、この場合は、蛍光灯９から放射される光は、照明装置１０が設置されている部屋の中層空間から天井付近の上層空間へ照射する間接照明的な使い方となる。
【００３８】
又、図２(ｂ)の状態から遮光板２を上方に向かって徐々に動かすと、遮光板２で上下に振り分けられて照射されている光の量が、遮光板２の動きにつれて、部屋の下層空間へ照射する方が部屋の上層空間へ照射する方よりも徐々に多くなる。又、図２(ｂ)の状態から遮光板２を下方に向かって徐々に動かすと、遮光板２で上下に振り分けられて照射されている光の量が、遮光板２の動きにつれて、部屋の上層空間へ照射する方が部屋の下層空間へ照射する方よりも徐々に多くなる。
【００３９】
次に、上記の照明装置１０の制御部について説明する。図３は、上記の照明装置１０の制御部２０の構成を示したブロック図である。図３において、制御部２０は、ＣＰＵ２１、ＲＯＭ２２、ＲＡＭ２３、操作部２４、時計部２５、パルスモータコントロール部２６、及び、調光部２７で構成されている。これらの各部は、ＣＰＵ２１に接続されたデータバスやアドレスバス等で構成される制御ライン２８を介して、相互に接続されている。
【００４０】
ＣＰＵ１１は、マイクロコンピュータで構成されている。ＲＯＭ２２は、不揮発性の半導体メモリで構成されており、照明装置１０を制御するのに必要なＯＳやアプリケーションプログラム等のソフトウエアが格納されている。ＣＰＵ１１は、このＲＯＭ１８に搭載されたソフトウエアにより、各種の処理を行う機能を有している。ＲＡＭ２３は、揮発性の半導体メモリで、データ等を記憶する機能を有している。
【００４１】
操作部２４は、小型のＬＣＤ表示器とテンキー等のキーボードで構成されており、照明装置１０の制御に関する各種の設定を行うのに用いられる。時計部２５は、時刻を出力する機能を有しており、ＣＰＵ１１は、この時計部２５の出力する時刻に基づいて、各種の制御を行う。
【００４２】
パルスモータコントロール部２６は、モータユニット６に収容されているパルスモータの制御を行う機能を有している。パルスモータは、パルスによりパルスモータの回転を制御するモータであり、このパルスモータを制御することにより、遮光板２の配置位置を移動させることができる。
【００４３】
調光部２７は、照明装置１０の光源である蛍光灯９の点灯／消灯制御を行うほか、点灯時の明るさの制御、即ち、調光制御を行う機能を有している。尚、蛍光灯９の電源としては、商用電源２９が用いられる。
【００４４】
次に、上記の照明装置１０の制御部２０が行う、照明装置１０の制御の仕組みについて説明する。上述したように、照明装置１０では、制御部２０のパルスモータコントロール部２６により、パルスモータを制御して、遮光板２の配置位置を移動させることにより、蛍光灯９から照射される光を、上下２方向の双方、或いは、一方に振り分ける制御を行う。即ち、照射される光の振り分けは、照明装置１０における遮光板２の配置位置を変えることにより行われる。
【００４５】
そこで、照明装置１０の制御の仕組みを説明するのに際して、照明装置１０の遮光板２の配置位置に、次のような名称を付ける。即ち、図２における(ａ)に示す状態の遮光板２の配置位置をＰ１、(ｂ)に示す状態の遮光板２の配置位置をＰ３、そして、(ｃ)に示す状態の遮光板２の配置位置をＰ５とする。さらに、図２(ａ)と図２(ｂ)との中間の配置位置の状態における図示されていない遮光板２の配置位置をＰ２とする。又、図２(ｂ)と図２(ｃ)との中間の配置位置の状態における図示されていない遮光板２の配置位置をＰ４とする。
【００４６】
又、照明装置１０が設置されている部屋における、照明装置１０の光源である蛍光灯９による床付近の下層空間から中層空間にかけての照射、又は、下層空間への照射を、下向照射と称し、天井付近の上層空間から中層空間にかけての照射、又は、上層空間への照射を、上向照射と称する。そして、上述した遮光板２の配置位置Ｐ１〜Ｐ５における、照明装置１０が設置されている部屋に照射される蛍光灯９の光の量につき、一例として、下向照射と上向照射との割合が、図４に示すような状態となるように、配置位置Ｐ１〜Ｐ５の設定を行う。
【００４７】
即ち、Ｐ１では、下向照射が１００％で上向照射が０％、Ｐ２では、下向照射が７５％で上向照射が２５％、Ｐ３では、下向照射が５０％で上向照射も５０％、Ｐ４では、下向照射が２５％で上向照射が７５％、そして、Ｐ５では、下向照射が０％で上向照射が１００％となるように、配置位置Ｐ１〜Ｐ５の設定を行う。この設定では、下向照射の割合が多いほど直接照明的な照明となり、上向照射の割合が多いほど間接照明的な照明となる。
【００４８】
そして、制御部２０では、これらの配置位置Ｐ１〜Ｐ５のいずれかが指定されると、照明装置１０の遮光板２が、これらの指定された配置位置に移動するように、パルスモータコントロール部２６がパルスモータを制御する。この制御は、ＲＯＭ２２に記憶されているパルスモータ制御プログラムに基づいて行われる。
【００４９】
又、照明装置１０の光源である蛍光灯９の調光レベルとして、一例として、図５に示すような、Ｌ０、Ｌ１、及び、Ｌ２の３段階のレベルを設定する。これらの各レベルとしては、蛍光灯９に商用電源２９がそのまま印加された場合の光量レベルを１００％とすると、Ｌ０は、光量レベルを０％、即ち、消灯状態とし、Ｌ１は、光量レベルを５０％、そして、Ｌ１は、光量レベルを１００％とする。そして、制御部２０では、これらの調光レベルＬ０〜Ｌ２のいずれかが指定されると、蛍光灯９からこれらの指定されたレベルの光が照射されるように、調光部２７を制御する。この制御は、ＲＯＭ２２に記憶されている調光制御プログラムに基づいて行われる。
【００５０】
さらに、制御部２０には、上記のパルスモータ制御プログラム、及び、調光制御プログラムの上位プログラムとして、これらのプログラムに指示を出す照明制御プログラムが、ＲＯＭ２２に記憶されている。この照明制御プログラムは、例えば、図６に示すように、時間帯と、遮光板配置位置、及び、調光レベルで構成される予め設定された照明制御データを備えている。この照明制御データは、６時を起点とした２４時間、即ち、１日にわたって照明装置１０を制御するのに必要なデータで構成されている。この照明制御データにおける遮光板配置位置に関するデータが、前述の配光制御パターンに相当し、調光レベルに関するデータが、前述の調光制御パターンに相当する。
【００５１】
この照明制御プログラムにより、制御部２０のＣＰＵ２１は、時計部２５から取得された時刻に基づき、照明制御データ上の時間帯に従って、遮光板配置位置、及び、調光レベルの照明制御データを用いて、パルスモータ制御プログラム、及び、調光制御プログラムを介して、パルスモータコントロール部２６や調光部２７に指示することにより、照明装置１０の制御を行う。
【００５２】
例えば、図６に示す照明制御データの場合、６時から１５時までは消灯し、１５時になると、点灯すると共に遮光板２の配置位置をＰ１とし、且つ、調光レベルをＬ１とする。１６時になると、遮光板２の配置位置はＰ１のままで、調光レベルをＬ２とする。１９時になると、調光レベルはＬ２のままで、遮光板２の配置位置をＰ２とする。２０時になると、調光レベルは同じくＬ２のままで、遮光板２の配置位置をＰ３とする。２１時になると、調光レベルは同じくＬ２のままで、遮光板２の配置位置をＰ５とする。２２時になると、調光レベルは同じくＬ２のままで、遮光板２の配置位置をＰ４とする。２３時になると、遮光板２の配置位置をＰ５とし、且つ、調光レベルをＬ１とする。そして、０時になると、消灯すると共に、その状態を６時まで保つ。
【００５３】
上記の照明制御プログラムにおいて、この照明制御プログラムが備える照明制御データを複数とし、その中から予め選択された照明制御データを用いて照明装置１０の制御を行うようにすることともできる。例えば、照明制御プログラムが備える照明制御データとして、上述した図６に示す照明制御データのほか、図７及び図８に示す照明制御データを用いる。そして、これらの中から選択された照明制御データを用いて上記の制御を行うのである。従って、この場合は、最初に、操作部２４の表示器とキーボードを用いて、複数の照明制御データの中から１つを選択する選択操作を行う必要がある。
【００５４】
上記の照明装置１０によれば、上記の照明装置１０では、光源である蛍光灯９を固定すると共に、この固定された蛍光灯９の前に、可動可能な遮光板２を配置し、この可動可能な遮光板２を可変とすることにより、光の照射方向を可変としている。従って、光源を可動させる必要がないので、照明装置を小型化することができ、コストメリットを備えた照明装置を構成することができる。
【００５５】
又、上記の照明装置１０を部屋の壁１１に設置することによって、光源の光を、部屋１１の床付近の下層空間から中層空間までの直接照明的な照射と、部屋１１の中層空間から天井付近の上層空間までの間接照明的な照射の、２方向の双方、或いは、一方に振り分けることができる。即ち、上記の照明装置１０を部屋の壁１１に設置することによって、直接照明と間接照明との切替使用や併用使用を可能にすることができる。
【００５６】
又、上記の照明装置１０では、遮光板２の配置位置を移動させると、この遮光板２により振り分けられる照射光の量を変化させることができる。そこで、上述した直接照明と間接照明との併用時に、直接照明に対する照射量と間接照明に対する照射量の割合を、変化させることができる。
【００５７】
又、上記の照明装置１０では、回転軸４ａをパルスモータにより回転させることにより、遮光板２の配置位置を容易に移動させることができる。従って、直接照明と間接照明との切替えや、直接照明と間接照明の併用時における直接照明に対する照射量と間接照明に対する照射量との割合等を、容易に変化させることができる。
【００５８】
又、上記の照明装置１０では、配光制御パターンや、調光制御パターンをデータ化した照明制御データを備えた照明制御プログラムを制御部に記憶することにより、この照明制御データに基づいて、上記の照明装置を自動的に制御することができる。従って、照明による部屋の雰囲気を、使用目的や使用時間帯によって自動的に変化させることができる。
【００５９】
上記の照明装置１０において、遮光板２として、半透光性を備えた遮光板を用いるようにしてもよい。このようにすることにより、照明装置１０の照明効果に多様性を与えることができる。
【００６０】
又、上記の照明装置１０では、光源として蛍光灯９を用いているが、光源としては、これには限られず、白熱灯や水銀灯等、光源として使用可能であれば、他のいかなるものも使用することができる。
【図面の簡単な説明】
【００６１】
【図１】本実施の形態における照明装置の、(ａ)は平面図、(ｂ)は右側面図、そして、(ｃ)は(ａ)のＸ−Ｘ断面図である。
【図２】(ａ)、(ｂ)、(ｃ)は、本実施の形態における照明装置の遮光板の移動状態を示した断面図である。
【図３】本実施の形態における照明装置の制御部の構成を示したブロック図である。
【図４】本実施の形態における照明装置の遮光板の配置位置による下向照射と上向照射との割合を示したテーブルである。
【図５】本実施の形態における照明装置の遮光板の配置位置による光量を示したテーブルである。
【図６】本実施の形態における照明装置の照明制御データの例(その１)を示したテーブルである。
【図７】本実施の形態における照明装置の照明制御データの例(その２)を示したテーブルである。
【図８】本実施の形態における照明装置の照明制御データの例(その３)を示したテーブルである。
【符号の説明】
【００６２】
１  本体
１ａ  側外壁
１ｂ  副空間
１ｃ  隔壁
１ｄ  主空間
１ｅ  隔壁
１ｆ  副空間
１ｇ  側外壁
２  遮光板
３  遮光板支持片
４ａ  回転軸
４ｂ  回転軸
５ａ  軸受
５ｂ  軸受
５ｃ  軸受
５ｄ  軸受
６  モータユニット
７  反射板
８  ソケット
９  蛍光灯
１０  照明装置
１１  壁
２０  制御部
２１  ＣＰＵ
２２  ＲＯＭ
２３  ＲＡＭ
２４  操作部
２５  時計部
２６  パルスモータコントロール部
２７  調光部
２８  制御ライン
２９  商用電源
【図１】
2007335101.tif 000003
【図２】
2007335101.tif 000004
【図３】
2007335101.tif 000005
【図４】
2007335101.tif 000006
【図５】
2007335101.tif 000007
【図６】
2007335101.tif 000008
【図７】
2007335101.tif 000009
【図８】
2007335101.tif 000010